(57)【要約】【課題】  コンテンツ提供者の意図にしたがった形態によるコンテンツの視聴を実現するための手段を含む構成のコンテンツ提供方法を提供することを目的とする。【解決手段】  本編コンテンツを所定時間間隔毎に暗号化し、該当する暗号化解除情報をＣＭコンテンツに含めて発信する構成とし、当該ＣＭコンテンツの配信を本編コンテンツの配信に先立って行なうものとし、更にＣＭコンテンツ配信において、暗号化解除情報を時系列的に分散して配信する構成とする。【選択図】  図１
2005184640.tif 000002
【特許請求の範囲】
【請求項１】
所定の第１の情報と所定の第２の情報と配信する情報配信装置であって、
第２の情報を所定時間間隔毎に暗号化する暗号化手段と、
暗号化手段にて暗号化された第２の情報の所定時間間隔部分についての暗号化解除情報を第１の情報に含めて発信する第１の情報発信手段と、
前記第１の情報発信手段による暗号化解除情報を含めた第１の情報の発信後、暗号化手段にて暗号化された該当する第２の情報の所定時間間隔部分を発信する第２の情報発信手段とよりなる情報配信装置。
【請求項２】
更に、暗号化手段による暗号化を中断する暗号化中断手段よりなり、
暗号化中断手段により暗号化が中断された際には第２の情報発信手段は該当する第２の情報の所定時間間隔部分を暗号化せずに発信する構成とされてなる請求項１に記載の情報配信装置。
【請求項３】
第１の情報発信手段は暗号化解除情報を第１の情報に含めて発信する際、暗号化解除情報を第１の情報に対して時系列的に分散させて発信する構成とされてなる請求項１又は２に記載の情報配信装置。
【請求項４】
所定の第１の情報と所定の第２の情報と配信する情報配信方法であって、
第２の情報を所定時間間隔毎に暗号化する暗号化段階と、
暗号化段階にて暗号化された第２の情報の所定時間間隔部分についての暗号化解除情報を第１の情報に含めて発信する第１の情報発信段階と、
前記第１の情報発信段階による暗号化解除情報を含めた第１の情報の発信後、暗号化段階にて暗号化された該当する第２の情報の所定時間間隔部分を発信する第２の情報発信段階とよりなる情報配信方法。
【請求項５】
第１の情報発信段階では暗号化解除情報を第１の情報に含めて発信する際、暗号化解除情報を第１の情報に対して時系列的に分散させて発信する構成とされてなる請求項４に記載の情報配信方法。
【発明の詳細な説明】
【技術分野】
【０００１】
本発明は情報配信装置及び情報配信方法に係り、特に所定の情報を所定の順序にて受信させるための手段を設けた情報配信装置及び情報配信方法に関する。
【背景技術】
【０００２】
近年、通信ネットワークの普及に伴い、デジタルコンテンツ(映像、音楽等)をＩＰネットワーク経由で一般家庭に設けられたパーソナルコンピュータ、セットトップボックス等の受信装置に対して配信することが広く行われている。このような情報配信システムでは、人気の高いコンテンツを有料で配信して視聴させるシステム、無料で配信するがスポンサー等によるＣＭ映像等を併せて挿入配信するシステム（例えばストリーミング広告映像配信サービス「ＰａＳａＴａ」等）によるサービスが提供されることがある。
【０００３】
このようなＩＰネットワークによるデジタルコンテンツ配信の方式としては、例えばコンテンツデータをリアルタイムに伝送するためのＲＴＰプロトコル（リアルタイム・トランスポート・プロトコル：ｒｆｃ１８８９）に従いコンテンツデータを積載するＲＴＰパケットと、当該パケットの伝送を制御するＲＴＣＰ(ＲＴＰコントロールプロトコル)パケットとによって大量のデータをリアルタイムに配信する方式が一般的である。
【０００４】
また、配信サービスの方式として、予め所定の配信形式に加工蓄積されたデジタルコンテンツを視聴者の要求に応じて当該コンテンツの先頭部分から配信するサービス（オンデマンドサービス）と、予めスケジューリングされた番組表（タイムテーブル）に従って所定のコンテンツを配信するサービス（放送型サービス）の二種類がある。
【０００５】
上記オンデマンドサービスは視聴者による各種の操作要求（再生開始、一時停止、早送り、巻き戻し等）に従った各態様にてコンテンツデータを個別的に配信する必要があり、上記個々の視聴者による夫々の操作要求毎に、所要配信数に応じた配信サーバ性能、中継サーバ配置、配信ネットワーク帯域の確保等が必要となる。このため、多数の視聴者を対象とした大規模配信を行うためには非常に大きな配信容量が必要となる。
【０００６】
他方上記放送型サービスでは所定のタイムテーブルに従い、各イベント毎に同一のコンテンツデータを多数の視聴者に対して一律に配信する方式であり、上記オンデマンドサービスに比して遙かに小さい容量で大規模配信を実現することが出来る。
【０００７】
又、上記スポンサーのＣＭ等を挿入するシステムを採用した配信サービスにおいては、ＣＭ等を多数の視聴者に確実に視聴させることが重要である。これを実現するための方法として、例えば以下の２方法が考えられる。即ち、１)視聴開始時にまずＣＭ等を配信し、その後本編コンテンツを配信する方法。２) 本編コンテンツを暗号化し、これを復号化するための情報をＣＭコンテンツに積載し、もってＣＭコンテンツの配信（再生）後でないと完全な本編コンテンツが視聴できないようにする方法。
【特許文献１】特開２００２−５１３２１号公報
【発明の開示】
【発明が解決しようとする課題】
【０００８】
上記１）、又は２）の方法を採用してＣＭ等の所定の情報を視聴者に確実な視聴させることを実現しようとした場合、次の様な課題が生じ得る。
【０００９】
先ず上記１）の方法は、上記の如く大規模配信に適した放送型サービスに適用することが出来ない。即ち、放送型サービスにおいて視聴者は予め配信プログラムを把握しており、ＣＭ等の所定の情報の受信を意図的に避けることが可能となる。したがって上記１）の構成は上記オンデマンドサービスに対してのみ有効に適用可能となるため、即ち大規模配信システムには適さないこととなる。
【００１０】
又１）の方法の場合、ＣＭ等の所定の情報の挿入位置は必ず本編コンテンツの先頭とする必要がある。そうしないと視聴者は本編コンテンツを視聴後意図的にＣＭ等の受信を中止することが可能となる。ところがＣＭ等の所定の情報の挿入位置が本編コンテンツの先頭に固定された場合、本編コンテンツのデータサイズが大きいような場合（即ち長時間コンテンツの場合）には、ＣＭコンテンツサイズ（時間）が限定されてしまう。即ち、コンテンツを配信する事業者等は本編コンテンツの長さに応じた長さのＣＭコンテンツを視聴させたいのに対し、視聴者は、いくら本編コンテンツが長時間であってもそれに応じた長時間のＣＭコンテンツを先頭で視聴することは容認し難いと考えられる。
【００１１】
他方、上記２）の方法は放送型サービスにも適用可能である。具体的な適用例として、例えば特許文献１に開示された「デジタルビデオ送信機、デジタルビデオ受信機及びデジタルビデオ送受信機」が挙げられる。この例では、ＭＰＥＧ−ＴＳストリームの構成要素であるＰＥＳパケットに暗号化解除情報である復号化情報を積載することで前記２）の方法を実現している。しかしながらこの方式では、マルチプレクサ等を用い、予めコンテンツをＭＰＥＧ−ＴＳとして作成し用意しておく必要がある。即ち、この準備段階において該当コンテンツの暗号化部分と非暗号化部分の組み合わせが固定されてしまうことになる。
【００１２】
ところが上記の如くのＣＭ付きコンテンツ配信サービス等においては、ＣＭコンテンツを有効に作用させることを考えた場合、一般的にその配信地域、配信時間が重要なファクタとなる。特にネットワーク経由での配信においては視聴者を特定できるため、視聴者ターゲット別にＣＭコンテンツを切り替える手法が有効である。そのようなシステムを実現しようとした場合、より汎用的で、リアルタイムに暗号化・非暗号化の切り替え可能な配信システムが望ましい。
【００１３】
又、将来におけるＣＭ付きコンテンツ配信等のサービスの普及を考慮した場合、災害時等における緊急放送に対応できるよう、暗号化部分のコンテンツ配信中に、配信コンテンツを緊急コンテンツに差し替える操作が可能であることが望ましい。
【００１４】
即ち、コンテンツ配信において、配信直前でのＣＭ等の所定情報の入れ替え要求が発生した場合でもこれに臨機応変に対応可能であり、ＣＭ等所定情報の時間軸上の挿入位置や挿入長さがコンテンツ製作時に固定されず、且つ緊急放送等が必要な事態にあたっては迅速に暗号化の中断が行えるような配信システムが望まれる。
【課題を解決するための手段】
【００１５】
本発明では上記課題を解決するため、所定の第１の情報と所定の第２の情報と配信する際、第２の情報(例えば上記本編コンテンツ)を所定時間間隔毎に暗号化するものとし、暗号化された第２の情報の所定時間間隔部分についての暗号化解除情報を第１の情報（例えばＣＭコンテンツ）に含めて発信する。またその際、暗号化解除情報を含めた第１の情報の発信後、暗号化された該当する第２の情報の所定時間間隔部分を発信するようにする。
【発明の効果】
【００１６】
このように構成することにより、上記の如くに発信された情報を受信した受信装置側では、最初に所定時間間隔の第２の情報についての暗号化解除情報が含まれた第１の情報を受信し、当該暗号化解除情報を取得する。そしてこの取得暗号化解除情報によって次に送られてくる該当する所定時間間隔分の第２の情報の暗号化解除を行ない、もって視聴者にとって視聴可能なデータ形式となった当該コンテンツをディスプレイ等の表示装置上で表示する。その結果、視聴者側では暗号化解除情報を含んだＣＭ等の第１の情報を受信した後、本編コンテンツ等の第２の情報の暗号化の解除が可能となり当該本編コンテンツを視聴可能となる。そして、このような動作過程は上記所定時間間隔分の第２の情報部分の配信毎に順次繰り返される。即ち、視聴者は上記所定時間間隔分の第２の情報、即ち本編コンテンツ等の部分の受信毎にＣＭ等の第１のコンテンツを受信せざるを得なくなる。
【００１７】
このように本発明では本編コンテンツ等の第２の情報を所定時間間隔毎に時系列的に分割し、このように時系列的に分割された部分毎に暗号化し、その都度暗号化解除情報をＣＭコンテンツ等の最初に視聴させたい第１のコンテンツに含めて先ず発信する。そして、その後暗号化された第２の情報を発信する。このようにＣＭ等の第１の情報に対して暗号化解除情報を含める処理は、実質的に該当する本編コンテンツ等の第２の情報の配信の直前に行なうことが可能なため、ＣＭ等の第１の情報は該当する第２の情報の配信直前にその内容を任意に変更可能となる。
【００１８】
又、上記本発明の構成によれば本編コンテンツ等第２の情報を時系列的に分割し、その分割部分毎に暗号化し、その暗号化毎に暗号化解除情報をＣＭ等の第１の情報に含めて発信する。このため、本編コンテンツ等の第２のコンテンツが長時間に亘るものであった場合でも、これを時系列的に分割し、その分割部分毎にＣＭ等の第１の情報を挿入し得る。このため、コンテンツ配信を行なう事業者等は、ＣＭ等を本編コンテンツ等の配信中に所定間隔で挿入できるため、その都度挿入するＣＭ等の挿入時間を長くする必要が無くなる。即ち、ＣＭ等の短時間の配信を繰り返し挿入することで、総計して長時間分のＣＭ等を確実に視聴させるという所期の目的を達成することが可能である。そして同時に視聴者側でも、本編コンテンツ等の先頭に長時間に亘るＣＭ等の視聴を強いられることがなくなり、容認可能な状況で配信コンテンツを視聴出来ることとなる。
【００１９】
更に、上記の如く暗号化は本編コンテンツ等の第２の情報の所定時間間隔部分毎に対して行なわれるため、緊急放送が必要な事態等が発生した場合でも比較的短時間以内に暗号化中断を有効とすることが可能となる。このため、様々な状況に柔軟に対応可能な配信システムを実現可能となる。
【発明を実施するための最良の形態】
【００２０】
本発明を実施するための最良の形態につき以下に図面と共に説明する。
【００２１】
本発明の実施の形態では上記ＲＴＰパケットで連続的に配信する情報を時限的に区切って暗号化し、視聴者側装置でその暗号化解除を行う。また暗号化された配信情報の暗号化を解除するために必要とされる暗号化解除情報の視聴者への伝達には上記ＲＴＣＰパケットを使用する。即ちＲＴＣＰパケットを用いて事前に暗号化範囲（暗号化開始時間、暗号化終了時間）情報及び暗号化解除情報を視聴者に対して伝送する。
【００２２】
また本編コンテンツを配信するＲＴＰパケットのペイロード部はリアルタイムに暗号化される。そしてＣＭ等のＲＴＰ配信の時間中に、次に配信する暗号化本編部コンテンツの暗号化解除情報をＲＴＣＰパケットを利用して時系列的に分散して伝送する。この構成により、視聴者側ではＣＭ等の視聴を行った場合にのみ暗号化解除情報を含むＲＴＣＰパケットの収集が可能となる。このＣＭ視聴を確実にするための手段について以下に述べる。
【００２３】
即ち、デジタルコンテンツを配信または中継するデジタルコンテンツ配信サーバと、そのサーバと連携しサーバが配信するデジタルコンテンツの指定時間間隔部分を暗号化するデジタルコンテンツ暗号化装置とから構成されるデジタルコンテンツ配信システムを設ける。
【００２４】
上記デジタルコンテンツ配信サーバは、単独の操作、または連携するデジタルコンテンツ暗号化装置からの指示により、所定の複数のコンテンツから任意のものを選択して配信する機能を持つ。そして同サーバは更に、デジタルコンテンツ暗号化装置からの非暗号化の指示の受信時に、配信すべきコンテンツを所定のＣＭコンテンツに切り替えるための指示を受け付ける機能をも有する。
【００２５】
また、上記デジタルコンテンツ暗号化装置は、配信コンテンツの暗号化解除情報を、事前に暗号化デジタルコンテンツ受信装置に通知するようにデジタルコンテンツ配信サーバに指示する機能を持つ。本発明の実施の形態は、上記デジタルコンテンツ配信システムから配信されたデジタルコンテンツと共にコンテンツ暗号化解除情報を受信し、暗号を解除して視聴可能にする機能を有する暗号化デジタルコンテンツ受信装置を含む。
【００２６】
更に上記デジタルコンテンツ暗号化装置は、その装置に対するリアルタイムな操作により即時にデジタルコンテンツの暗号化を中断すると共に、この暗号化中断発生の事象を暗号化デジタルコンテンツ受信装置に通知するようにデジタルコンテンツ配信サーバに指示する機能を有する。この機能により、デジタルコンテンツ暗号化装置は、任意の時刻において、その配信状態を暗号化デジタルコンテンツ配信から非暗号化デジタルコンテンツ配信に切り替え可能である。
【００２７】
また上記デジタルコンテンツ暗号化装置はスケジューリング機能を持ち、配信するコンテンツのうちの所定の時間間隔部分をその配信時に自動的に暗号化して暗号化デジタルコンテンツとして配信し、更にその暗号化デジタルコンテンツの配信前にコンテンツ暗号化解除情報を時系列的に分散して配信するようにデジタルコンテンツ配信サーバに指示を行う機能を持つ。
【００２８】
即ち本発明の実施の形態は、デジタルコンテンツ配信を行なう際、ＲＴＰペイロードに積載された本編コンテンツ情報を暗号化し、その暗号化解除情報を事前に、ＣＭコンテンツ配信と平行して、ＲＴＣＰにより時系列的に分散伝送する機能を有する。このような機能により、受信側の視聴者は、ＣＭコンテンツ視聴を行っていた場合においてのみ、その後の本編コンテンツが視聴可能となる。
【００２９】
そのため本発明の実施の形態では、、図１に示す如く、デジタルコンテンツを配信または中継するデジタルコンテンツ配信サーバ１２０とデジタルコンテンツ暗号化装置１３０とから構成されるデジタルコンテンツ配信システム１００を設ける。そしてこの構成により、配信すべきコンテンツを所定の暗号化情報を用いて暗号化して配信し、同時に暗号化解除情報をＲＴＣＰで伝送する。また暗号化デジタルコンテンツ受信装置では、この暗号化コンテンツと暗号化解除情報とを受信し、暗号化解除情報にて暗号化コンテンツの暗号化を解除して視聴者による視聴可能な状態とする。
【００３０】
このように本発明の実施の形態は、コンテンツを配信または中継するデジタルコンテンツ配信サーバ１２０と、そのサーバと連携し、サーバが配信するデジタルコンテンツのうち、ある一定の時間間隔部分を暗号化すると共に、該当するコンテンツ暗号化解除情報を事前にデジタルコンテンツ受信装置に通知するように上記デジタルコンテンツ配信サーバに指示するデジタルコンテンツ暗号化装置１３０とを構成要素として持つデジタルコンテンツ配信システム１２０を含む。
【００３１】
また、本発明の実施の形態は、上述の如くデジタルコンテンツ配信システム１２０から配信されたデジタルコンテンツとコンテンツ暗号化解除情報とを受信し、その暗号化を解除して視聴可能にする暗号化デジタルコンテンツ受信装置２００をも含む。
【００３２】
また上記デジタルコンテンツ暗号化装置１３０は、その装置に対するリアルタイムな操作にて即時にデジタルコンテンツの暗号化を中断し、その暗号化中断発生の事象を暗号化デジタルコンテンツ受信装置２００に通知するようにデジタルコンテンツ配信サーバ１２０に指示する。その結果任意の時刻において暗号化デジタルコンテンツ配信から非暗号化デジタルコンテンツ配信に切り替え可能である。
【００３３】
また、上記デジタルコンテンツ暗号化装置１３０はスケジューリング機能を持ち、所定のスケジュールにしたがって配信コンテンツの所定の時間間隔部分を自動的に暗号化し、その結果得られた暗号化デジタルコンテンツを配信するにあたり、その暗号化デジタルコンテンツ配信前に、その暗号化デジタルコンテンツ暗号化解除用のコンテンツ暗号化解除情報を時系列的に分散して配信するようにデジタルコンテンツ配信サーバ１２０に指示を行う。
【００３４】
以下に本発明の実施の形態を構成する各装置について図面と共に詳細に説明する。
【００３５】
図１に示す如く、デジタルコンテンツ配信サーバ１２０はコンテンツ読出部１２１と配信処理部１２２とを有する。また図１に示すデジタルコンテンツ暗号化装置１３０は、デジタルコンテンツ配信サーバ１２０のコンテンツ読出部１２１から、配信する前のＲＴＰパケットを受け取り、それをデジタルコンテンツ配信サーバ１２０の配信処理部１２２に転送する。その過程で、デジタルコンテンツ暗号化装置１３０はＲＴＰパケットのタイムスタンプ部に設定されているタイムスタンプ値を読み取り、これを現在時刻情報として取得する。ただしデジタルコンテンツ暗号化装置１３０に対して予め暗号化の指示がなされていない場合、同装置１３０は当該タイムスタンプ値の取得以外の操作を該当するＲＴＰパケットに対して行わない。
【００３６】
デジタルコンテンツ配信サーバ１２０の配信処理部１２２は、受信コンテンツが暗号化ＲＴＰか非暗号化ＲＴＰかの別によらず、常にデジタルコンテンツ暗号化装置１３０から転送されたＲＴＰを外部に対して配信する。また、デジタルコンテンツ暗号化装置１３０からＲＴＣＰパケットが転送された場合、これを配信視聴者（即ち暗号化デジタルコンテンツ受信装置２００）に対して伝送する。
【００３７】
本編のコンテンツ及びＣＭのコンテンツを含む各種コンテンツからの配信コンテンツの切替は、デジタルコンテンツ配信サーバ１２０のコンテンツ読出部１２１が行う。即ち、コンテンツ読出部１２１は、配信すべきコンテンツとして、図１に示す如くのＶＯＤ本編コンテンツ１１，ＬＩＶＥビデオカメラ本編コンテンツ１２，他サーバ配信本編コンテンツ１３，ＶＯＤＣＭコンテンツ１４等の各種データソースから得られた元メディアデータ（ライブビデオデータ、ＭＰＥＧ２−ＴＳデータ、アナログデータ等）をＲＴＰパケットに変換し、そのＲＴＰのタイムスタンプ部に現在時刻情報を設定し、デジタルコンテンツ暗号化装置１３０に転送する。但し、図５と共に後述するように、コンテンツ読出し部１２１にて該当ＲＴＰパケットの暗号化の要否を判定し、暗号化不要の場合に暗号化装置１３０に転送せずに直接配信処理部１２２に転送する構成とすることも可能である。
【００３８】
図２はデジタルコンテンツ暗号化装置１３０の構成を示すブロック図である。同図に示す如くデジタルコンテンツ暗号化装置１３０はＲＴＰパケット受信部１３１、コマンド受付部１３２、暗号化処理部１３３、ＲＴＰ／ＲＴＣＰパケット送出部１３４及び記憶装置１３５とを有する。ＲＴＣパケット受信部１３１はデジタルコンテンツ配信サーバ１２０のコンテンツ読出部１２１にて上記データソースから読み出されてＲＴＰパケットに変換されたコンテンツを受信し、これを暗号化処理部１３３又はＲＴＣ／ＲＴＣＰパケット送出部１３４へ転送する。コマンド受付部１３２は、デジタルコンテンツ配信サーバ１２０に対して外部の図示せぬホストコンピュータ等を介して入力される暗号化情報を受け付け、これを記憶装置１３５に書き込む。
【００３９】
暗号化処理部１３３は、コマンド受付部１３２を介して受け付けられ記憶装置１３５に書き込まれた暗号化情報を適宜読み出し、ＲＴＣパケット受信部１３１にて受信されたＲＴＰパケットのタイムスタンプ値と比較照合し、そのタイムスタンプ値が暗号化開始時刻と暗号化終了時刻とによって画成された時間間隔内にあれば当該ＲＴＰパケットを暗号化し、その後暗号化ＲＴＣパケットをＲＴＣ／ＲＴＣＰパケット送出部１３４を介してデジタルコンテンツ配信サーバ１２０の配信処理部１２２に送出する。それ以外のタイムスタンプ値を有するＲＴＰパケットは暗号化されず、直接ＲＴＰ／ＲＴＣＰパケット送出部１３４を介してデジタルコンテンツ配信サーバ１２０の配信処理部１２２に送出される。
【００４０】
以下、上記の動作の詳細について説明する。デジタルコンテンツ配信サーバ１２０のコンテンツ読出部１２１は、デジタルコンテンツ暗号化装置１３０に対し、ＲＴＰ暗号化開始時刻、ＲＴＰ暗号化終了時刻、暗号化キー情報、暗号化情報通知開始時刻、暗号化情報通知終了時刻等の暗号化情報を設定する。これらはコマンド受付部１３２を介して記憶装置１３５に書き込まれる。コンテンツ暗号化、非暗号化の別とコンテンツの内容との連携をとる場合、デジタルコンテンツ暗号化装置１３０からデジタルコンテンツ配信サーバ１２０のコンテンツ読出部１２１に対し、適宜ＲＴＰ暗号化開始時刻、ＲＴＰ暗号化終了時刻の通知が行われる。即ち、上記の如く、例えば予め非暗号化が設定された時刻に暗号化装置１３０から非暗号化の指示がコンテンツ読出部１２１に対して送られ、その結果コンテンツ読出部１２１が所定のＣＭコンテンツを該当するデータソースから読出して配信処理部１２２を介して配信する等の動作を可能にする。
【００４１】
デジタルコンテンツ暗号化装置１３０のコマンド受付部１３２は、上記の如く設定された所定の暗号化情報通知開始時刻と暗号化情報通知終了時刻とによって画成される時間間隔情報から、これに対して最適な暗号化キー情報の断片化個数を算出する。そしてその算出結果に従って、暗号化処理部１３３から得られる、該当する暗号化開始時刻と暗号化終了時刻とによって画成される時間間隔分の本編コンテンツの暗号化を解除するための単一の暗号化キー情報を複数に断片化する。そしてこのように断片化したそれぞれの暗号化キー情報を、ＡＰＰ（アプリケーション・ディペンデントＲＴＣパケット）―ＲＴＣＰパケット中、アプリケーション・ディペンデント・データのエリアに積載してデジタルコンテンツ配信サーバ１２０の配信処理部１２２に送出する。
【００４２】
このＡＰＰ−ＲＴＣＰパケットのアプリケーション・ディペンデント・データのエリアはアプリケーションで自由に使える３２ビット単位長のデータエリアであり、その適用方法の１例を図１０に示す。図１０はＡＰＰ−ＲＴＣＰパケットのアプリケーション・ディペンデント・データのエリアを利用して上記断片化暗号化キー情報を送信する際のデータフォーマットの一例を示す。
【００４３】
尚図１０中、ＥＮＣＴと示されたエリアには「暗号化情報通知」としての当該ＡＰＰ−ＲＴＣＰの名称を示す値が設定され、ｆｒａｇｍｅｎｔｓ＿ｔｏｔａｌのエリアには断片化暗号化キー情報の断片総数（分割数）を示す値が設定され、ｆｒａｇｍｅｎｔｓ＿ｉｎｄｅｘのエリアには、当該断片が断片化暗号化キー情報のうちの何番目であるかを示す値が設定され、Ｔｓｔａｍｐ＿Ｓには、暗号化開始ＲＴＰタイムスタンプ値が設定され、Ｔｓｔａｍｐ＿Ｅには暗号化最終ＲＴＰタイムスタンプ値が設定され、ＥＮＣＴ＿ｔｙｐｅには暗号化方式識別値が設定され、「断片化暗号化キー情報」のエリアには暗号化方式固有のデータが設定される。
【００４４】
またデジタルコンテンツ暗号化装置１３０のコマンド受付部１３２は、上記所定の暗号化情報通知開始時刻から暗号化情報通知終了時刻までの時間間隔を示す情報、及び、上記の如くの暗号化キー情報を積載したＡＰＰ−ＲＴＣＰパケットの個数の情報から、最適なＡＰＰ−ＲＴＣＰパケット送出間隔を算出する。そしてＲＴＰ／ＲＴＣＰパケット送出部１３４は、暗号化情報通知開始時刻を有するＲＴＰパケット検出時、上記の如く算出された最適なＡＰＰ−ＲＴＣＰパケット送出間隔毎にＡＰＰ−ＲＴＣＰパケットをデジタルコンテンツ配信サーバ１２０に転送する。
【００４５】
デジタルコンテンツ配信サーバ１２０は、視聴者（暗号化デジタルコンテンツ受信装置２００）に対し、デジタルコンテンツ暗号化装置１３０から転送されたＡＰＰ−ＲＴＣＰパケットを送出する。このようにして送信されたＡＰＰ−ＲＴＣＰパケットを受信した暗号化デジタルコンテンツ受信装置２００では、そのＡＰＰ−ＲＴＣＰパケットを蓄積し、そこから得られる上記断片化された暗号化キー情報を合成して単一の暗号化キー情報を得ることが出来る。
【００４６】
またデジタルコンテンツ暗号化装置１３０の暗号化処理部１３３は、上記の如く当該装置１３０の記憶装置１３５に設定されたＲＴＰ暗号化開始時刻を持つＲＴＰパケットをデジタルコンテンツ配信サーバ１２０のコンテンツ読出部１２１からＲＴＰパケット受信部１３１を介して受け取ると、それを同じく上記の如く予め設定されている暗号化キー情報に従ってそのＲＴＰペイロード部を暗号化し、それをＲＴＰ／ＲＴＣＰパケット送出部１３４を介してデジタルコンテンツ配信サーバ１２０の配信処理部１２２に転送する。
【００４７】
この暗号化処理部１３３によるＲＴＰペイロード部の暗号化処理は、デジタルコンテンツ配信サーバ１２０のコンテンツ読出部１２１から受け取られるＲＴＰパケットに対し、デジタルコンテンツ配信サーバ１２０のコンテンツ読出部１２１からタイムスタンプ部にＲＴＰ暗号化終了時刻を持つＲＴＰパケットを受け取るまで順次継続して行われる。この場合デジタルコンテンツ暗号化装置１３０は、デジタルコンテンツ配信サーバ１２０のコンテンツ読出部１２１から受け取ったＲＴＰのペーロード部が本編かＣＭかの別について特に意識せず、当該ＲＴＰのタイムスタンプ値のみで暗号化処理の要否を判断する。
【００４８】
デジタルコンテンツ暗号化装置１３０は上記の暗号化処理中に、上記の如く同装置１３０に予め設定されたＲＴＰ暗号化終了時刻をタイムスタンプ値として持つＲＴＰパケットをデジタルコンテンツ配信サーバ１２０から受け取った場合、そのタイムスタンプ値を持つＲＴＰのペイロード部の暗号化は行うが、それ以降のタイムスタンプ値を持つＲＴＰパケットのペイロード部の暗号化は行なわない。
【００４９】
また上記暗号化処理中、デジタルコンテンツ暗号化装置１３０は、操作者によりこの装置１３０が直接操作されＲＴＰペイロード部の暗号化が強制的に中断され場合、図１２に示す如く当該暗号化中断事象を「暗号化中断情報」として暗号化中断通知用のＡＰＰ−ＲＴＣＰパケットのアプリケーション・ディペンデント・データのエリアに設定し、当該ＡＰＰ−ＲＴＣＰパケットをデジタルコンテンツ配信サーバ１２０の配信処理部１２２に転送する。デジタルコンテンツ配信サーバ１２０の配信処理部１２２はこのＡＰＰ−ＲＴＣＰパケットを受信するとこれを視聴者（暗号化デジタルコンテンツ受信装置２００）に対し伝送する。
【００５０】
尚図１２中、ＥＮＣＥと示されたエリアには「暗号化中断通知」としての当該ＡＰＰ−ＲＴＣＰの名称を示す値が設定され、この場合ｆｒａｇｍｅｎｔｓ＿ｔｏｔａｌのエリアには０が設定され、ｆｒａｇｍｅｎｔｓ＿ｉｎｄｅｘのエリアにも０が設定され、Ｔｓｔａｍｐ＿Ｓには、暗号化中断指定時刻を示すＲＴＰタイムスタンプ値が設定され、Ｔｓｔａｍｐ＿Ｅには０が設定され、ＥＮＣＴ＿ｔｙｐｅのエリアには暗号化中断情報識別値が設定され、「暗号化中断情報」のエリアには、当該中断事由等が書き込まれる。
【００５１】
ＲＴＰペイロード部の暗号化処理と非暗号化処理とは、このようにして任意の時間間隔で交互に繰返してなされ得る。尚、その際、暗号化と非暗号化の切替の度に該当する暗号化情報は変更されてもよい。また上記のＡＰＰ−ＲＴＣＰパケットによる暗号化解除情報の分割断片化伝送（分散伝送）の実施は、非暗号化ＲＴＰが配信されている時間内に限定されるものではない。即ち、例えば視聴者に対して暗号化されて配信された番組最初の５分間分に、同じ番組の最後の５分間分の暗号化を解除するための暗号化解除情報を挿入しておくことが可能である。これにより、番組の最初の５分間分が視聴者に受信されず視聴されなかった場合、番組の最後の５分の暗号化解除が不可となり視聴不可となるようにする如くの適用方法が可能である。
【００５２】
上記動作の更に詳細な内容につき、以下に図面と共に述べる。
【００５３】
図３はデジタルコンテンツ配信システム１００が図示せぬ外部のホストコンピュータ等を介して所定のコンテンツ配信イベントを受信した際の動作を示すフローチャートである。
【００５４】
この場合、先ず当該イベントに含まれるコマンドがデジタルコンテンツ暗号化装置１３０のコマンド受付部１３２にて受け付けられる。図４はその際にデジタルコンテンツ暗号化装置１３０のコマンド受付部１３２で実行される動作の流れを示すフローチャートである。
【００５５】
図４のステップＳ２にてコマンド受付部１３２が外部から上記コマンドとして暗号化中断情報を受け付けた場合、その情報が示す中断指定時刻を取得する。そしてステップＳ３にて記憶装置１３５に既に設定済みの時刻情報から、当該中断指定時刻を含む時間間隔を暗号化すべき指示内容が含まれるか否かを判定する。その結果該当内容が設定されていなければ当該動作を終了する。他方、そのような指示内容が設定されている場合、即ち、当該中断指定時刻を含む時間間隔を暗号化すべき指示内容が設定されていた場合、これを当該中断指定時刻以降の時間間隔については暗号化を行なわないように指示する内容に書き換える（ステップＳ４）。
【００５６】
また、ステップＳ５にてコマンド受付部１３２がコマンドとして暗号化に関する指示内容を示す暗号化情報を受け取った場合、ステップＳ６にてコマンド受付部１３２は当該暗号化情報に含まれるＲＴＰ暗号化開始時刻、ＲＴＰ暗号化終了時刻、暗号化キー情報、暗号化情報通知開始時刻、暗号化情報通知終了時刻、及び暗号化キー情報の断片化個数の各情報内容を記憶装置１３５に書き込む。
【００５７】
そしてステップＳ７にて、上記の如く、暗号化情報通知開始時刻と暗号化情報通知終了時刻との間の時間間隔と暗号化キー情報の断片化個数の夫々の情報から、暗号化キー情報の送出間隔を算出する。そしてステップＳ８にて、暗号化キー情報を暗号化キー情報の断片化個数分に分割し、当該個数分のＡＰＰ−ＲＴＣＰパケットを生成し、上記の如く算出された送出間隔と暗号化情報通知開始時刻とから、分割された個々の暗号化キー情報の送出時刻を算出し、その算出時刻情報と共に各ＡＴＴ−ＲＴＣＰパケットを記憶装置１３５に格納する。このように格納された各ＡＴＴ−ＲＴＣＰパケットは後述の如く図３に示すステップＳ２８，Ｓ２９の動作にて該当する時刻に至った際にＲＴＰ／ＲＴＣＰパケット送出部１３４から読み出され、サーバ１２０を介して配信されることになる。
【００５８】
図３に戻り、暗号化装置１３０のＲＴＣパケット受信部１３１はステップＳ２１にてデジタルコンテンツ配信サーバ１２０のコンテンツ読出部１２１からＲＴＰパケットを受信し、ステップＳ２２にてこのＲＴＰパケットのタイムスタンプ部の値を読み出す。更にステップＳ２３にて、当該読み出されたタイムスタンプ値が中断対象値か否かを判定するため、当該タイムスタンプ値が示す時刻を含む暗号化中断情報を記憶装置１３５から検索する。その結果タイムスタンプ値が予め設定された中断対象時刻に合致した場合、ＲＴＰパケット受信部１３１はステップＳ２４にて暗号化中断指示用ＡＰＰ−ＲＴＣＰを生成し、これに該当中断時刻を設定（図１２参照）した上で配信すべくサーバ１２０の配信処理部１２２に送信する。
【００５９】
他方、ステップＳ２３にてタイムスタンプ値が中断対象時刻と異なる場合、ステップＳ２５にて、当該タイムスタンプ値が暗号化対象時刻か否かにつき、タイムスタンプ値が示す時刻を含む暗号化情報を記憶装置１３５から検索する。その結果タイムスタンプ値が暗号化対象時刻に合致した場合、即ち上記ステップＳ６にて予め記憶装置１３５に設定された暗号化開始時刻と暗号化終了時刻との間の時刻を示すものであった場合、ステップＳ２６において、暗号化処理部１３３にて当該ＲＴＰパケットを暗号化する。そしてステップＳ２７にてＲＴＰ／ＲＴＣＰパケット送出部１３４に暗号化ＲＴＰパケットを送出し、そこを介してサーバ１２０の配信処理部１２２に該当暗号化ＲＴＰパケットを送出する。
【００６０】
次にステップＳ２８にてＲＴＰ／ＲＴＣＰパケット送出部１３４は記憶装置１３５を検索し、現在時刻と一致する送出時刻を有するＡＰＰ−ＲＴＣＰパケットが存在するか否かを判定する。その結果該当パケットが存在する場合（Ｙｅｓ）、ステップＳ２９にて該当ＡＰＰ−ＲＴＣＰパケットを記憶装置１３５から読み出してサーバ１２０の配信処理部１２２に送出する。尚、同時に送出済みのパケットを記憶装置１３５から削除する。
【００６１】
図５はサーバ１２０のコンテンツ読出部１２１の動作の流れを示すフローチャートである。図中、ステップＳ４１にて所定の配信コンテンツを元メディアデータからＲＴＰパケットに変換し、ステップＳ４２にて所定の現在時刻情報発生手段により、当該ＲＴＰパケットのタイムスタンプ部に現在時刻情報を設定する。ステップＳ４３にて、サーバ配信モードが暗号化配信モードか否かを判定する。この判定は、上記の如く受信された該当イベントに含まれる指示情報を抽出するか、或いは記憶装置１３５から該当時刻を有する指示情報を検索する等により行なう。
【００６２】
この判定の結果がＮｏの場合、ステップＳ４５にて当該ＲＴＰパケットを配信処理部１２２に送信する。Ｙｅｓの場合ステップＳ４４にて当該ＲＴＰパケットをデジタルコンテンツ暗号化装置１３０に送信する。
【００６３】
図６はサーバ１２０の配信処理部１２２の動作の流れを示すフローチャートである。図中、ステップＳ６１にて、コンテンツ読出部１２１又はデジタルコンテンツ暗号化装置１３０からＲＴＰパケット又はＡＰＰ−ＲＴＣＰパケットを受信し、ステップＳ６２にて通常のＲＴＰ制御用ＲＴＣＰパケットを生成する。ステップＳ６３ではＲＴＰパケット又は上記ＲＴＰ制御用ＲＴＣＰパケットを外部（暗号化デジタルコンテンツ受信装置２００等）に対して配信する。
【００６４】
図７は、このようにして配信された暗号化ＲＴＰ，非暗号化ＲＴＰ及びＲＴＣＰの各パケットを受信して処理する暗号化デジタルコンテンツ受信装置２００の機能ブロック図である。図中、当該受信装置２００は、ＲＴＰパケットを受信するＲＴＰパケット受信部２１１、ＲＴＣＰパケットを受信するＲＴＣＰパケット受信部２１２、暗号キー組立部２１３、暗号解除部２１４、上位再生装置転送部２１５及び記憶装置２２０を含む。
【００６５】
図８は、この受信装置２００の動作の流れを示すフローチャートである。図中、ステップＳ８１にてパケットを受信すると、このパケットがＲＴＣＰパケットであった場合ステップＳ８２にてＲＴＣＰパケット受信部２１２がこれを受信し、当該ＲＴＣＰパケットがＡＰＰ−ＲＴＣＰパケットか否かを判定する（ステップＳ８３）。その判定の結果がＮｏの場合、ステップＳ８９にて当該ＲＴＣＰパケット、即ち通常のＲＴＣ制御用ＲＴＣＰパケット（暗号化に関する情報を搭載したＡＰＰ−ＲＴＣＰパケット以外の、通常のＲＴＰ制御に使用されるＲＴＣＰパケット）を上位再生装置転送部２１５に転送し、これを介して所定の上位再生装置に転送する。
【００６６】
この上位再生装置とは、例えばビデオプレーヤ、クライアントコンピュータ等よりなり、ユーザたる視聴者に対して当該コンテンツを直接表示して提供するための装置である。
【００６７】
ステップＳ８３の判定結果がＹｅｓの場合、ステップＳ８４にて当該ＡＴＴ−RＴＣＰパケットが暗号化中断通知用ＡＰＰ−ＲＴＣＰパケットか否かを判定する。その結果Ｙｅｓの場合当該パケットに含まれる暗号化中断情報が示す暗号化中断対象時刻情報を記憶装置２２０に保存する（ステップＳ８５）。他方、ステップＳ８４の結果がＮｏの場合、ステップＳ８６において、暗号キー組立部２１３にて当該ＡＰＰ−ＲＴＣＰパケットを蓄積し、ステップＳ８７にて、既に蓄積済みのＡＰＰ−ＲＴＣＰパケットが有する断片化された暗号化キー情報の集合からの所定の暗号化キー情報生成の可否を判定する。その判定結果がＮｏであれば当該動作を終了する。他方、ステップＳ８７の判定結果がＹｅｓの場合、暗号化キー組立部２１３にて、蓄積済みのＡＰＰ−ＲＴＣＰパケットが有する断片化された暗号化キー情報の集合から所定の暗号化キーを生成し、それを記憶装置２２０に蓄積する（ステップＳ８８）。
【００６８】
また、ステップＳ８１にて受信パケットがＲＴＰパケットであった場合、ステップＳ９０にてこれをＲＴＰパケット受信部２１１で受信する。そしてステップＳ９１にて、当該ＲＴＰパケットのタイムスタンプ値を取得し、この値が中断対象時刻か否かにつき判定する。即ち、記憶装置２２０を検索してタイムスタンプ値が示す時刻が中断対象時刻であるか否かにつき判定する（ステップＳ９２）。この結果がＹｅｓの場合、ステップＳ９５にて当該ＲＴＰパケットを上位再生装置転送部２１５を介して上記所定の上位再生装置に転送する。この場合、中断対象時刻に該当することから当該ＲＴＰパケットはデジタルコンテンツ配信システム１００の暗号化装置１３０にて暗号化されていない非暗号化ＲＴＰパケットである（図３のステップＳ２４による）。このため、暗号化解除動作を経ず直接上位再生装置に対して転送可能である。
【００６９】
ステップＳ９２の判定結果がＮｏの場合、上記タイムスタンプ値が示す時刻を含む所定時間間隔分のコンテンツの暗号化を解除する暗号化キー情報が記憶装置２２０に存在するか否かを判定する。即ち、ステップＳ８７にて生成された暗号化キー情報の有無が判定される。その判定結果がＹｅｓの場合、当該暗号化キー情報を使用して該当するＲＴＰパケットの暗号化を暗号化解除部２１４で解除し、その結果が上位再生装置転送部２１５を介して上位再生装置に転送される（ステップＳ９５）。
【００７０】
図９は、上述の本発明の実施の形態によるデジタルコンテンツ配信システム１００から暗号化デジタルコンテンツ受信装置２００に対してパケットが配信され、これが受信装置２００にて処理される様子を示すタイムチャートである。
【００７１】
同図中、時刻ｔ３まで、本編コンテンツに先立ちＣＭコンテンツのＲＴＰパケットが配信され、その間、当該本編コンテンツを暗号化した際に使用し、この暗号化を解除するために必要な暗号化キー情報が３個の断片ＫＥＹ-Ａ−１，ＫＥＹ−Ａ−２，ＫＥＹ−Ａ−３に分割され、夫々時刻ｔ１、ｔ２、ｔ３に時系列的に分散されて、上記ＣＭコンテンツ配信中に配信される。その結果、暗号化デジタルコンテンツ受信装置２００では、ＣＭコンテンツを受信することで順次受信される断片化暗号化キー情報ＫＥＹ−Ａ−１，ＫＥＹ−Ａ−２，ＫＥＹ−Ａ−３を蓄積してゆく。
【００７２】
そして時刻ｔ３にて所定の暗号化キー情報を生成可能な分の断片化暗号化キー情報ＫＥＹ−Ａ−１，ＫＥＹ−Ａ−２，ＫＥＹ−Ａ−３が得られ、これを合成して暗号化キー情報を得る（時刻ｔ４）。そして以後この暗号化キー情報、即ち暗号化解除情報を使用し、その後配信される該当する本編コンテンツＲＴＰパケットの暗号化解除を行なう。尚、当該合成された暗号化キー情報ＫＥＹ−Ａの有効期間の終了時刻は予め時刻ｔ５と定められており、それ以降には使用不可となる。これは受信装置２００にて現在時刻と、予め暗号化キー転送用ＡＴＴ−ＲＴＣＰパケットに埋め込まれた情報有効期限とを比較対照し、その結果が有効期限内を逸脱していれば無効と判定する構成を設けることで実現可能である。
【００７３】
また、図１１は図９同様のタイムチャートであるが、この場合、例えば自然災害等の緊急事態の発生等により、デジタルコンテンツ配信システム１００から急遽非常用配信コンテンツの配信が指示された場合等において、配信システム１００の暗号化装置１３０に対して暗号化中断指示がなされた場合の状態を示す。この場合、例えば本来の暗号化キー情報の有効期限である時刻ｔ５より前の時刻ｔ４ａに暗号化キー情報ＫＥＹ−Ａの有効期限内の時刻を示す上記暗号化中断指示がなされ、この場合、当該中断情報により配信システム１００側で暗号化が中断され、非暗号化コンテンツが配信されるため、該当時刻ｔ４ａ以降は暗号化解除動作を行なうことなく、受信されたＲＴＰをそのまま再生可能となる。
【００７４】
このように本発明の実施の形態によるデジタルコンテンツ配信システムによれば、時間軸に沿って順次ＲＴＰペイロード部の暗号化を行うことにより、コンテンツの組み合わせに依存しない柔軟な暗号化配信を実現し、且つＣＭ情報と本編情報との如くの相互に関連をもつ情報を視聴者に時系列的に関連付けて視聴させるための手段を実現可能となる。
【００７５】
また、本発明の適用分野はＣＭ情報と本編情報との如くの関係に特化したものではなく、例えば、次の如くの分野への適用も可能である。
【００７６】
１）ｅ−ラーニング等、ストリーミング配信を利用した学習システムにおいて時系列的に規定の順序で暗号化解除情報と該当暗号化学習教材情報とを繰り返し配信する。その結果配信された学習教材の学習者による視聴が規定の順序で行われない場合、暗号化解除がなされず視聴不可とすることが可能である。この場合、前段階の学習教材配信中に、次段階の教材の暗号化解除情報を含めて伝送することにより、中途からの視聴を防止し、学習者に不完全な理解を与えることを防ぐための手段を実現することが可能である。
【００７７】
尚、本発明は以下に示す付記の構成を含むものとする。
（付記１）
所定の第１の情報と所定の第２の情報と配信する情報配信装置であって、
第２の情報を所定時間間隔毎に暗号化する暗号化手段と、
暗号化手段にて暗号化された第２の情報の所定時間間隔部分についての暗号化解除情報を第１の情報に含めて発信する第１の情報発信手段と、
前記第１の情報発信手段による暗号化解除情報を含めた第１の情報の発信後、暗号化手段にて暗号化された該当する第２の情報の所定時間間隔部分を発信する第２の情報発信手段とよりなる情報配信装置。
（付記２）
更に、暗号化手段による暗号化を中断する暗号化中断手段よりなり、
暗号化中断手段により暗号化が中断された際には第２の情報発信手段は該当する第２の情報の所定時間間隔部分を暗号化せずに発信する構成とされてなる付記１に記載の情報配信装置。
（付記３）
第１の情報発信手段は暗号化解除情報を第１の情報に含めて発信する際、第１の情報に対して暗号化解除情報を時系列的に分散させて発信する構成とされてなる付記１又は２に記載の情報配信装置。
（付記４）
所定の第１の情報と所定の第２の情報と配信する情報配信方法であって、
第２の情報を所定時間間隔毎に暗号化する暗号化段階と、
暗号化段階にて暗号化された第２の情報の所定時間間隔部分についての暗号化解除情報を第１の情報に含めて発信する第１の情報発信段階と、
前記第１の情報発信段階による暗号化解除情報を含めた第１の情報の発信後、暗号化段階にて暗号化された該当する第２の情報の所定時間間隔部分を発信する第２の情報発信段階とよりなる情報配信方法。
（付記５）
更に、暗号化段階による暗号化を中断する暗号化中断段階よりなり、
暗号化中断段階にて暗号化が中断された際には第２の情報発信段階では該当する第２の情報の所定時間間隔部分を暗号化せずに発信する構成とされてなる付記４に記載の情報配信方法。
（付記６）
第１の情報発信段階では暗号化解除情報を第１の情報に含めて発信する際、第１の情報に対して暗号化解除情報を時系列的に分散させて発信する構成とされてなる付記４又は５に記載の情報配信方法。
【図面の簡単な説明】
【００７８】
【図１】本発明の実施の形態に係るデジタルコンテンツ配信システムの構成図である。
【図２】図１中のデジタルコンテンツ暗号化装置のブロック図である。
【図３】図２に示すデジタルコンテンツ暗号化装置の動作の流れを示すフローチャート（その１）である。
【図４】図２に示すデジタルコンテンツ暗号化装置の動作の流れを示すフローチャート（その２）である。
【図５】図１に示すコンテンツ読出部の動作の流れを示すフローチャートである。
【図６】図１に示す配信処理部の動作の流れを示すフローチャートである。
【図７】本発明の実施の形態による暗号化デジタルコンテンツ受信装置のブロック図を示したものである。
【図８】図７に示す暗号化デジタルコンテンツ受信装置の動作の流れを示すフローチャートである。
【図９】本発明の実施の形態によるデジタルコンテンツ配信及びこれに対する受信装置の処理の流れを示すタイムチャートであり、暗号化ＲＴＰ、非暗号化ＲＴＰ、暗号化情報を伝送するＲＴＣＰの夫々のパケットが伝送される状況を時系列的に示したものである。
【図１０】図９に示す配信動作において適用され得る暗号化キー情報を伝送するＡＰＰ−ＲＴＣＰパケット中のアプリケーション・ディペンデント・エリアのデータフォーマットの例を示す図である。
【図１１】本発明の実施の形態によるデジタルコンテンツ配信及びこれに対する受信装置の処理の流れを示すタイムチャートであり、暗号化ＲＴＰ、非暗号化ＲＴＰ、暗号化情報を伝送するＲＴＣＰの各パケットが伝送される間に暗号化中断通知ＲＴＣＰが伝送される状況を時系列的に示したものである。
【図１２】図１１に示す配信動作において適用され得る暗号化中断情報を伝送するＡＰＰ−ＲＴＣＰパケット中のアプリケーション・ディペンデント・エリアのデータフォーマットの例を示す図である。
【符号の説明】
【００７９】
１００  デジタルコンテンツ配信システム
１２０  デジタルコンテンツ配信サーバ
１２１  コンテンツ読出部
１２２  配信処理部
１３０  デジタルコンテンツ暗号化装置
２００  暗号化デジタルコンテンツ受信装置
【図１】
2005184640.tif 000003
【図２】
2005184640.tif 000004
【図３】
2005184640.tif 000005
【図４】
2005184640.tif 000006
【図５】
2005184640.tif 000007
【図６】
2005184640.tif 000008
【図７】
2005184640.tif 000009
【図８】
2005184640.tif 000010
【図９】
2005184640.tif 000011
【図１０】
2005184640.tif 000012
【図１１】
2005184640.tif 000013
【図１２】
2005184640.tif 000014